(57)【要約】【目的】  本考案の目的は、ランプの交換や点検を行うに当たり、バッフルを昇降させたとしてもバッフルが落下する恐れがない新規な照明器具を提供することにある。【構成】  照明器具は、ランプ１０を内蔵し下面に照射開口を形成した器具本体１００と、器具本体１００の照射開口と同一の正面形状を有した両端面開放筒体であって器具本体１００とランプ１０との間の隙間に挿入され且つランプ光軸方向に移動自在に配置されたバッフル２００と、器具本体１００に内蔵されており且つバッフル２００をランプ光軸方向に付勢させる弾性部材３００と、バッフル２００をその使用位置で位置決め規制するために器具本体１００の内側にバッフル２００の一部が当接可能に配設されたストッパー片５００とを具備し、バッフル２００がランプ１０の先端位置より奥側まで押し上げ可能になっている。【選択図】      図１
0003105859.tif 000002
【実用新案登録請求の範囲】
【請求項１】
ランプを内蔵し下面に照射開口が形成された器具本体と、器具本体の照射開口と同一の正面形状を有した両端面開放筒体であって器具本体とランプとの間の隙間に挿入され且つランプ光軸方向に移動自在に配置されたバッフルと、器具本体に内蔵され且つバッフルをランプ光軸方向に付勢させる弾性部材と、バッフルをその使用位置で位置決め規制するために器具本体の内側にバッフルの一部が当接可能に配設されたストッパー片とを具備し、バッフルがランプの先端位置により奥まで押し上げ可能になっていることを特徴とする照明器具。
【請求項２】
器具本体の外面に取り付けられた器具固定用のＶ状板バネを有した天井埋め込みタイプの請求項１記載の照明器具において、Ｖ状板バネの固定側端部が折り曲げられ、折り曲げられた先端部が器具本体の外面に形成された穴に挿入され、前記ストッパー片として使用されていることを特徴とする照明器具。
【請求項３】
請求項１又は２記載の照明器具において、前記ストッパー片は前記バッフルのフランジ部に当接可能になっていることを特徴とする照明器具。
【請求項４】
請求項３記載の照明器具において、前記フランジ部は前記バッフルの上端縁部及び下端縁部に各々設けられた略コ字状の部材であって、前記器具本体の内周面に摺接可能になっていることを特徴とする照明器具。
【請求項５】
請求項４記載の照明器具において、前記弾性部材は前記器具本体よりも径が小さいコイルバネであり、当該器具本体の底面と、前記バッフルの上端縁部のフランジ部との間に介在することを特徴とする照明器具。
【考案の詳細な説明】
【技術分野】
【０００１】
本考案は、天井等に埋め込まれる照明器具に関する。
【背景技術】
【０００２】
この種の照明器具は、天井に埋め込まれることからランプの交換や点検が困難であるという問題を有している。この問題を解決し得るものとしては、特許文献１に記載されてようなものがある。特許文献１の照明器具は、器具本体に対してバッフルを昇降可能に支持する支持手段を有している。
【０００３】
この支持手段は、板バネであって、傘状の器具本体の底面に取り付けられる取付部と、この取付部の両端部にそれぞれ連なる部材であり且つ下方に向けて折り曲げた一対の折曲部と、この折曲部の下縁部の交互に位置をずらした箇所から中央部が交差するように略Ｓ字状に折曲した一対の湾曲部とを有しており、この湾曲部の交差する部分にバッフルを引っ掛けて昇降可能に支持する。
【０００４】
【特許文献１】特開平０５−１４４３１１号公報
【考案の開示】
【考案が解決しようとする課題】
【０００５】
ところが、前記支持手段は湾曲部の互いに交差した部分にバッフルを引っ掛けて支持しているだけであるから、バッフルを昇降させ、器具本体の照射開口面より下側に引き出すに当たり当該バッフルが落下する恐れがある。
【０００６】
本考案は、上記事情に鑑みて創案されたものであって、その目的とするところは、ランプの交換や点検を行うに当たり、バッフルを昇降させたとしてもバッフルが落下する恐れがない新規な照明器具を提供することにある。
【課題を解決するための手段】
【０００７】
上記課題を解決するために、本考案の照明器具は、ランプを内蔵し下面に照射開口を形成した器具本体と、器具本体の照射開口と同一の正面形状を有した両端面開放筒体であって器具本体とランプとの間の隙間に挿入され且つランプ光軸方向に移動自在に配置されたバッフルと、器具本体に内蔵されており且つバッフルをランプ光軸方向に付勢させる弾性部材と、バッフルをその使用位置で位置決め規制するために器具本体の内側にバッフルの一部が当接可能に配設されたストッパー片とを具備し、バッフルがランプの先端位置より奥側まで押し上げ可能になっていることを特徴としている。
【０００８】
この照明器具が、器具本体の外面に取り付けられた器具固定用のＶ状板バネを有した天井埋め込みタイプの照明器具である場合、Ｖ状板バネの固定測一端部が折り曲げられ、折り曲げられた先端部が器具本体の外面に形成された穴に挿入され、前記ストッパー片として使用されるようにすることができる。
【０００９】
前記ストッパー片は、前記バッフルのフランジ部に当接可能になっていることが好ましい。このフランジ部は前記バッフルの上端縁部及び下端縁部に各々設けられた略コ字状の部材であって、前記器具本体の内周面に摺接可能になっていることが好ましい。この場合、前記弾性部材は前記器具本体の内周の径よりも径が小さいコイルバネであり、当該器具本体の底面と、前記バッフルの上端縁部のフランジ部との間に介在する。
【考案の効果】
【００１０】
本考案の請求項１に係る照明器具による場合、バッフルを弾性部材の付勢力に抗してランプの先端位置より奥側まで押し上げる。すると、ランプの先端部の周縁部が露出する。このランプの先端部を把持し当該ランプを取り外すことができる。よって、ランプの交換や点検を容易に行うことができる。しかも、照明器具を吊り下げ式とした場合、ストッパー片に当接させて位置決め規制し、当該バッフルをランプの先端位置より奥側まで押し上げる構成としたことから、当該バッフルが落下することがない。よって、安全性の高い照明器具とすることができる。
【００１１】
本考案の請求項２に係る照明器具による場合、器具固定用のＶ状板バネの固定測一端部を前記ストッパー片として利用することができるので、部品点数が少なくなり低コスト化を図る上でメリットがある。
【００１２】
本考案の請求項３に係る照明器具による場合、前記ストッパー片をバッフルのフランジ部に当接可能にすることで、バッフルの位置規制及び落下防止を容易に行うことが可能になる。
【００１３】
本考案の請求項４に係る照明器具による場合、前記フランジ部は前記バッフルの上端縁部及び下端縁部に各々設けられた略コ字状の部材であり且つ前記器具本体の内周面に摺接するようになっている。よって、バッフルが器具本体内を移動する際に前記フランジ部がガイドとして働くので、バッフルが移動の際に傾くことを防止することができる。これによりバッフルの移動をスムーズにすることができる。
【００１４】
本考案の請求項５に係る照明器具による場合、弾性部材が前記器具本体よりも径が小さいコイルバネであり、当該器具本体の底面と、前記バッフルの上端縁部のフランジ部との間に介在するようにしている。即ち、弾性部材として器具本体よりも若干径が小さいコイルバネを用いている。このため、器具本体よりも径がかなり小さいコイルバネを用いたときに、コイルバネが捩れることにより当該コイルバネのバッフルに対する付勢力が不安定になるのを防止することができる。しかも、器具本体よりも若干径が小さいコイルバネであることから、器具本体の底面と、前記バッフルの上端縁部のフランジ部との間に介在させるだけで当該器具本体内に内蔵することができる。よって、径がかなり小さいコイルバネを用いたときの如く器具本体の底面にコイルバネを係止する係止片を設けたり、バッフルの上側の開口を小さくしてコイルバネの当接部を設けたりする必要がないので、低コスト化及び構造の簡単化を図ることができる。
【考案を実施するための最良の形態】
【００１５】
以下、本考案の実施の形態に係る照明器具を図面を参照しながら説明する。図１は右半分を破断させた照明器具の正面図、図２は同器具の平面図である。
【００１６】
図１に示す照明器具は、天井埋め込みタイプの照明器具であって、ランプ１０を内蔵し下面に照射開口を形成した器具本体１００と、器具本体１００の照射開口と同一の正面形状を有した両端面開放筒体であって器具本体１００とランプ１０との間の隙間に挿入され且つランプ光軸方向に移動自在に配置されたバッフル２００と、器具本体１００に内蔵されており且つバッフル２００をランプ光軸方向に付勢させる弾性部材３００と、器具本体１００の外面に取り付けられた器具固定用のＶ状板バネ４００とを具備する。
【００１７】
器具本体１００は、下面に照射開口が形成された上面有底の円筒体であって、外周面にランプの熱を放熱するための複数の放熱孔と、Ｖ状板バネ４００の固定側端部４１０の先端部が挿入される挿入孔１０１とが設けられている。この照明器具１００は、ランプ１０が取り付けられるソケット１１０と、器具本体１００の上面に取り付けられており且つソケット１１０と配線を介して電気接続された端子部１２０とを有している。端子部１２０は天井の取付孔から露出した端子( 図示せず) に電気接続される。
【００１８】
Ｖ状板バネ４００は、器具本体１００の外周面にビスで取り付けられた固定測一端部４１０と、この固定側端部４１０と連なる部材であり且つ器具本体１００と共に天井の取付穴に取り付けられた状態で当該取付孔の内面を付勢する開放側端部４２０とを有する。固定側端部４１０の先端部は折り曲げられており、器具本体１００の挿入孔１０１に挿入される。これにより固定側端部４１０の先端部がバッフル２００のフランジ部２１０に当接し、バッフル２００をその使用位置で位置決め規制するストッパー片５００となるのである。
【００１９】
開放側端部４２０は器具本体１００から離れる方向に折り曲げられている。このため、開放側端部４２０を器具本体１００の外周面に沿った状態で天井の取付孔に器具本体１００と共に挿入されると、当該開放側端部４２０が天井の取付穴の内面を付勢する。これにより器具本体１００が天井の取付孔から脱落するのを防止している。
【００２０】
弾性部材３００は、コイルバネであって、器具本体１００の底面と、バッフル２００のフランジ２１０との間に配置されている。これによりバッフル２００をランプ光軸方向に付勢する。
【００２１】
バッフル２００は、両端面開放の円筒体であり、弾性部材３００に付勢された状態でランプ１０の先端部の周囲を覆う位置に位置している。このバッフル２００は、作業者により弾性部材３００の付勢力に抗して器具本体１００の奥側に押し上げられると、ランプ１０の先端位置より奥側の位置まで移動する。このバッフル２００の上端縁部及び下端縁部縁部には外側に略コ字状に折り返したフランジ部２１０、２２０が設けられている。このフランジ部２１０、２２０が器具本体１００の内周面に摺接するようになっている。これによりバッフル２００が器具本体１００内をスライド移動する際に傾くのを防止することができる。このフランジ部２１０、２２０のうち照明器具１００の奥側のフランジ部２１０は、バッフル２００が弾性部材３００に付勢された状態でストッパー片５００に当接し、これにより器具本体１００からの抜け止めがなされる。
【００２２】
このような照明器具による場合、バッフル２００を弾性部材３００の付勢力に抗して当該ランプ１０の先端位置よりも奥側へ押し上げる。すると、ランプ１０の先端部の周縁部が露出する。このため、当該ランプ１０の先端部の周縁部を指で把持して取り外すことができる。よって、ランプ１０の交換や点検を容易に行うことができる。しかも、ストッパー片５００に当接させてバッフル２００を位置決め規制し、当該バッフル２００をランプ１０の先端位置より奥側まで押し上げる構成としたことから、当該バッフル２００が落下することがない。よって、安全性の高い照明器具とすることができる。
【００２３】
この照明器具については、ランプを内蔵し下面に照射開口を形成した器具本体と、器具本体の照射開口と同一の正面形状を有した両端面開放筒体であって器具本体とランプとの間の隙間に挿入され且つランプ光軸方向に移動自在に配置されたバッフルと、器具本体に内蔵されており且つバッフルをランプ光軸方向に付勢させる弾性部材と、バッフルをその使用位置で位置決め規制するために器具本体の内側にバッフルの一部が当接可能に配設されたストッパー片とを具備し、バッフルがランプの先端位置より奥側まで押し上げ可能になっている限りどのような設計変更を行ってもかまわない。
【００２４】
よって、器具本体１００は、両端面開放筒体であれば良く、円筒体に限定されることはない。バッフル２００も同様である。バッフル２００のフランジ部２１０、２２０が設けられているとしたが、少なくともフランジ部２１０が設けられていれば良い。フランジ部２１０、２２０は略コ字状に限定されない。弾性部材３００については同様の機能を実現できる限り、どのようなものを用いてもかまわない。ストッパー片５００はここでは、Ｖ状板バネ４００の固定測一端部４１０の先端部であるとしたが、別の部材とすることも当然可能である。
【００２５】
なお、照明器具は、天井埋め込みタイプであるとしたが、これに限定されることはない。この場合、Ｖ状板バネ４００は不要である。
【図面の簡単な説明】
【００２６】
【図１】右半分を破断させた照明器具の正面図である。
【図２】同器具の平面図である。
【符号の説明】
【００２７】
１０    ランプ
１００  器具本体
２００  バッフル
３００  弾性部材
４００  Ｖ状板バネ
５００  ストッパー片
【図１】
0003105859.tif 000003
【図２】
0003105859.tif 000004